(57)【特許請求の範囲】
【請求項１】
乾燥時に内部が乾燥室となる外槽と、前記外槽内に回転自在に配置され洗濯物を収容する洗濯兼脱水槽と、前記洗濯兼脱水槽を駆動する電動機を含む駆動手段と、前記外槽を支持し外装を構成する筐体と、前記洗濯兼脱水槽に乾燥用の空気を送風するための前記洗濯兼脱水槽に向けて開口する出口と前記外槽に向けて開口する入口を有する送風通路とを備えた洗濯乾燥機において、
前記筐体を構成する上面カバーの下側にある前記送風通路の一部を構成する送風通路と接続され、前記外槽と前記筐体を構成する背面カバーとの間に配置され前記送風通路の一部を構成する縦方向送風通路を設け、前記縦方向送風通路を縦通路と、この縦通路に続いて形成される斜め通路及びこの斜め通路に続いて形成される横通路より形成し、前記縦通路の途中に洗浄ノズルを配置すると共に、前記洗浄ノズルに前記縦通路の壁面に対して横方向、下方向、及び上方向に洗浄水を噴出する洗浄口を設けたことを特徴とする洗濯乾燥機。
【請求項２】
請求項１に記載の洗濯乾燥機において、
前記洗浄ノズルは水道水が供給される水道水供給部と、前記水道水供給部と直角に交わる洗浄水供給部とよりなり、取り付けられた状態で前記洗浄水供給部は前記縦通路の壁面に対して直交する方向に開口した横方向洗浄口と、前記縦通路の壁面に対して平行な方向に開口した下方向洗浄口と、前記斜め通路の壁面に指向して開口した上方向洗浄口とを備えていることを特徴とする洗濯乾燥機。
【請求項３】
請求項２に記載の洗濯乾燥機において、
前記洗浄ノズルの横方向洗浄口、下方向洗浄口及び上方向洗浄口の各洗浄口は一列に並べられた複数個の洗浄口を備えていることを特徴とする洗濯乾燥機。
【請求項４】
請求項２に記載の洗濯乾燥機において、
前記洗浄ノズルの横方向洗浄口、下方向洗浄口及び上方向洗浄口の各洗浄口は一列に並べられた複数個の円形状或いはスリット形状の洗浄口を備えていることを特徴とする洗濯乾燥機。
【請求項５】
請求項２に記載の洗濯乾燥機において、
前記洗浄ノズルの横方向洗浄口、下方向洗浄口及び上方向洗浄口の各洗浄口の洗浄水の供給量は、横方向洗浄口＞下方向洗浄口＞上方向洗浄口の関係を有していることを特徴とする洗濯乾燥機。
【請求項６】
乾燥時に内部が乾燥室となる外槽と、前記外槽内に回転自在に配置され洗濯物を収容する洗濯兼脱水槽と、前記洗濯兼脱水槽を駆動する電動機を含む駆動手段と、前記外槽を支持し外装を構成する筐体と、前記洗濯兼脱水槽に乾燥用の空気を送風するための前記洗濯兼脱水槽に向けて開口する出口と前記外槽に向けて開口する入口を有する送風通路と、前記送風通路の途中に設けられたヒータ及び空気の流れ方向で見て前記ヒータの上流側に設けられた送風ファンと、空気の流れ方向で見て前記送風ファンの上流側の前記送風通路と前記筐体内部の空間を連通する空気取入口と、前記空気取入口と空気の流れ方向で見て前記空気取入口より上流側の前記送風通路を選択的に切り換える風路切換弁とを備えた洗濯乾燥機において、
前記筐体を構成する上面カバーの下側にある前記送風通路の一部を構成する送風通路と接続され、前記外槽と前記筐体を構成する背面カバーとの間に配置され前記送風通路の一部を構成する縦方向送風通路を設け、前記縦方向送風通路を縦通路と、この縦通路に続いて形成される斜め通路及びこの斜め通路に続いて形成される横通路より形成し、前記縦通路の途中に洗浄ノズルを配置すると共に、前記洗浄ノズルに前記縦通路の壁面に対して横方向、下方向、及び上方向に洗浄水を噴出する洗浄口を設けたことを特徴とする洗濯乾燥機。
【請求項７】
請求項６に記載の洗濯乾燥機において、
前記風路切換弁は空気の流れ方向で見て前記洗浄ノズルの下流側の送風通路に設けられ、前記洗浄ノズルから洗浄水が供給されている状態において前記風路切換弁は前記送風通路を閉じている状態に置かれていることを特徴とする洗濯乾燥機。
【請求項８】
請求項６に記載の洗濯乾燥機において、
前記風路切換弁は前記横通路と前記斜め通路の間の送風通路を開閉し、前記洗浄ノズルから洗浄水が供給されている状態において前記風路切換弁は前記横通路と前記斜め通路の間を閉じている状態に置かれていることを特徴とする洗濯乾燥機。
【請求項９】
請求項８に記載の洗濯乾燥機において、
前記洗浄ノズルは水道水が供給される水道水供給部と、前記水道水供給部４９と直角に交わる洗浄水供給部とよりなり、取り付けられた状態で前記洗浄水供給部は前記縦通路の壁面に対して直交する方向に開口した横方向洗浄口と、前記縦通路の壁面に対して平行な方向に開口した下方向洗浄口と、前記斜め通路の壁面に指向して開口した上方向洗浄口とを備えていることを特徴とする洗濯乾燥機。
【請求項１０】
請求項８に記載の洗濯乾燥機において、
前記洗浄ノズルの横方向洗浄口、下方向洗浄口及び上方向洗浄口の各洗浄口は一列に並べられた複数個の洗浄口を備えていることを特徴とする洗濯乾燥機。
【請求項１１】
請求項８に記載の洗濯乾燥機において、
前記洗浄ノズルの横方向洗浄口、下方向洗浄口及び上方向洗浄口の各洗浄口は一列に並べられた複数個の円形状或いはスリット形状の洗浄口を備えていることを特徴とする洗濯乾燥機。
【請求項１２】
請求項８に記載の洗濯乾燥機において、
前記洗浄ノズルの横方向洗浄口、下方向洗浄口及び上方向洗浄口の各洗浄口の洗浄水の供給量は、横方向洗浄口＞下方向洗浄口＞上方向洗浄口の関係を有していることを特徴とする洗濯乾燥機。
【発明の詳細な説明】
【技術分野】
【０００１】
本発明は衣類等を洗濯した後に乾燥用の空気を供給して衣類を乾燥する洗濯乾燥機に関するものであり、特に洗濯、すすぎ及び脱水を行う洗濯兼脱水槽に衣類乾燥用の暖められた空気を供給し、この空気を循環させて衣類を乾燥する送風通路を備えた洗濯乾燥機に関するものである。
【背景技術】
【０００２】
洗濯乾燥機による衣類の乾燥は、洗濯兼脱水槽を回転する電動機や送風ファンの電動機等の構成部品から発生する廃熱、及び/或いはヒータ等の専用熱源からの熱を単独/或いは組み合わせて乾燥用の暖かい空気を作り出し、この暖められた空気を送風ファンによって温風の状態にして回転ドラム内の衣類へ高速で吹きつけて“しわ”の発生を抑制しつつ乾燥を行うようにしている。
【０００３】
この時、温風によって衣類の残留水分から蒸発した水蒸気が発生するため、この水蒸気を除去してやることが必要である。
【０００４】
このための手法として外槽と背面カバーの間に配置された送風通路の内部に水道水を流すことによって、低温度の水道水を利用して水蒸気を含んだ温風を冷却することで、水蒸気の水分を結露させて水分を除去する水冷除湿方式が提案されている。このような構成の洗濯乾燥機は特開２０１０−８２３４６号公報（特許文献１）にその詳細が説明されている。
【先行技術文献】
【特許文献】
【０００５】
【特許文献１】特開２０１０−８２３４６号公報
【発明の概要】
【発明が解決しようとする課題】
【０００６】
上記特許文献１に記載の洗濯乾燥機は、洗濯兼脱水槽内の脱水が終了した衣類に送風通路を介して暖められた空気を吹き付けるようにしており、洗濯兼脱水槽内を含む送風通路によって空気の循環通路を形成している。
【０００７】
そして洗濯兼脱水槽は回転しながら乾燥運転を行うため、乾燥が進むにつれて衣類から剥がれ落ちる糸屑や、洗濯兼脱水槽に残っていた洗濯後の糸屑、或いは埃が循環空気と共に送風通路内を移動するようになる。そして、特に外槽と背面カバーに位置する送風通路の一部にこの糸屑を含む埃（以下、単に埃と表現する）が付着するようになる。
【０００８】
この循環空気の除湿の目的と埃を洗い流す目的のため、この送風通路には除湿用の水道水を流す冷却用ノズルと、また、その冷却ノズルとは別に送風通路の壁面に付着した埃を除去する水道水を流す洗浄用ノズルが取り付けてある。
【０００９】
そして、この冷却用ノズルは洗濯乾燥機の下側方向に向けて水道水を流し、また洗浄用ノズルは洗濯乾燥機の下側方向と横方向に向けて水道水を流すような構成とされていた。
【００１０】
ところが、送風通路は外槽と背面カバーの間を通り、外槽の上側と上面カバーの下側の空間を通って洗濯兼脱水槽に至るような通路構成となっている。したがって、この送風通路の曲がり部の壁面に埃が多く付着する現象が確認された。
【００１１】
この主な原因はこの曲がり部で循環空気が大きく方向転換を行い、埃が空気から分離されるからである。乾燥運転中では埃等はまだ生乾きであるため、循環空気に乗って速度を持って送風通路に衝突すると容易に送風通路の壁面に埃が付着するようになる。特に曲がり部の循環空気が衝突する壁面に多く埃が付着することが確認された。
【００１２】
しかしながら、冷却用ノズルは洗濯乾燥機の下側方向に向けて水道水を流し、また洗浄用ノズルは洗濯乾燥機の下側方向と横方向に向けて水道水を流すような構成とされていたので、曲がり部付近の壁面に付着した埃を洗い流すことができなかった。
【００１３】
このため、堆積した埃から悪臭がしたりして使用者に不快な環境を招来することになり好ましいものではない。また、稀にではあるが長い年月をかけて埃の堆積が更に進むと送風通路の断面積の減少や、甚だしい場合は送風通路の閉塞といった現象を生じて乾燥効率が低下する恐れがあった。
【００１４】
本発明の目的は、送風通路路内に堆積する埃を洗浄することができる洗濯乾燥機を提供することにあり、特に洗浄ノズルより上の送風通路の壁面に付着した埃を洗浄することができる洗濯乾燥機を提供することにある。
【課題を解決するための手段】
【００１５】
本発明の特徴は、筐体を構成する上面カバーの下側にある送風通路の一部を構成する送風通路と接続され、外槽と筐体を構成する背面カバーとの間に配置され送風通路の一部を構成する縦方向送風通路を設け、縦方向送風通路を縦通路と、この縦通路に続いて形成される斜め通路及びこの斜め通路に続いて形成される横通路より形成し、縦通路の途中に洗浄ノズルを配置すると共に、洗浄ノズルに縦通路の壁面に対して横方向、下方向、及び上方向に洗浄水を噴出する洗浄口を設けた洗濯乾燥機、にある。
【発明の効果】
【００１６】
本発明によれば、洗浄用ノズルから上、横、下方向に洗浄用の水を供給することができ、風路内に堆積する埃を除去することが可能になる。特に、洗浄ノズルより上側（空気の流れから見て下流側）の斜め通路に堆積する埃を洗浄できるものである。
【図面の簡単な説明】
【００１７】
【図１】本発明のドラム式洗濯乾燥機を示す外観図である。
【図２】本発明のドラム式洗濯機筐体の一部を切断し内部構造を示す斜視図である。
【図３】本発明のドラム式洗濯機の内部構造を示す側面図である。
【図４】送風通路を構成する縦方向送風通路の断面であり、風路切換弁が空気取入口を閉じている状態を示した断面図である。
【図５】送風通路を構成する縦方向送風通路の断面であり、風路切換弁が横通路と斜め通路を閉じている状態を示した断面図である。
【図６】洗浄用ノズルを示しており、洗浄用ノズルを正面からみた正面図である。
【図７】洗浄用ノズルを示しており、洗浄用ノズルを斜め外部から外観斜視図である。
【図８】洗浄用ノズルの各洗浄口部分の断面であり、横方向洗浄口を示す断面図である。
【図９】洗浄用ノズルの各洗浄口部分の断面であり、上方向洗浄口を示す断面図である。
【図１０】洗浄用ノズルの各洗浄口部分の断面であり、横方向および下方向の各洗浄口を示す断面図である。
【発明を実施するための形態】
【００１８】
以下、本発明の一実施例を図面に基づき詳細に説明するが、先ず洗濯乾燥機の構成を図１乃至図３に基づき説明する。
【００１９】
図１はドラム式洗濯乾燥機の外観図であり、図２は内部の構造を示すために筐体の一部を切断して斜め前方から見た斜視図、及び図３は内部の構造を示す側面図である。
【００２０】
各図において、参照番号１は外郭を構成する筐体であり、筐体１は四角形状のベース１ｈの上に取り付けられており、左右の側板１ａ、１ｂ、前面カバー１ｃ、背面カバー１ｄ、上面カバー１ｅ、下部前面カバー１ｆで構成されている。
【００２１】
左右の側板１ａ、１ｂはコの字型の上補強材、前補強材、後補強材（以上図示せず）で結合されており、ベース１ｈを含めて箱状の筐体１を形成し、筐体として十分な強度を有している。
【００２２】
参照番号９は前面カバー１ｃの略中央に設けた衣類を出し入れするための投入口を塞ぐドアで、前補強材に設けたヒンジで開閉可能に支持されている。ドア開放ボタン９ｄを押すことでロック機構（図示せず）が外れてドア９が開き、ドア９を前面カバー１ｃに押し付けることでロックされて閉じられる。前補強材は後述する外槽の開口部と同心に衣類を出し入れするための円形の開口部を有している。
【００２３】
参照番号６は筐体１の上部中央に設けた操作パネルで、電源スイッチ３９、操作スイッチ１２、１３、及び表示器１４を備えており、操作パネル６、筐体１下部に設けた制御装置３８に電気的に接続している。
【００２４】
参照番号３は回転可能に支持された円筒状の洗濯兼脱水槽（回転ドラム）であり、その外周壁および底壁に通水および通風のための多数の貫通孔を有し、前側端面に衣類を出し入れするための開口部３ａを設けてある。
【００２５】
開口部３ａの外側には洗濯兼脱水槽３と一体の流体バランサ３ｃを備えている。外周壁の内側には軸方向に延びるリフタ３ｂが複数個設けてあり、洗濯、乾燥時に洗濯兼脱水槽３を回転すると、衣類はリフタ３ｂと遠心力で外周壁に沿って持ち上がり、重力で落下するように動きを繰り返す。洗濯兼脱水槽３の回転中心軸は、水平または開口部３ａ側が高くなるように傾斜している。
【００２６】
参照番号２は円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３と結合している。
【００２７】
前面の開口部には外槽カバー２ｄを設け、外槽内への貯水を可能としている。外槽カバー２ｄの前側中央には、衣類を出し入れするための開口部２ｃを有している。本開口部２ｃと前補強材に設けた開口部はゴム製のベローズ１０で接続しており、ドア９を閉じることで外槽２を水封する。
【００２８】
外槽２底面最下部には排水口２ｂが設けてあり、排水ホース２６が接続している。排水ホース２６の途中には排水弁２５が設けてあり、排水弁を閉じて給水することで外槽２に水を溜め、排水弁を開いて外槽２内の水を機外へ排出する。外槽カバー２ｄの前側外周部にはオーバーフロー口２ｅを有しており、オーバーフローホースで排水弁２５の下流側で排水ホース２６に接続している。
【００２９】
外槽２は、下側をベース１ｈに固定されたサスペンション５（コイルばねとダンパで構成）で防振支持されている。また、外槽２の上側は上部補強部材に取り付けた補助ばね（図示せず）で支持されており、外槽２の前後方向へ倒れを防ぐ。
【００３０】
参照番号１９は筐体１内の上部左側に設けた洗剤容器で、前部開口から引き出し式の洗剤トレイ７を装着する。洗剤類を入れる場合は、洗剤トレイ７を図１の二点鎖線で示すように引き出す。洗剤容器１９は筐体１の上補強材に固定されている。
【００３１】
洗剤容器１９の後ろ側には、給水電磁弁や風呂水給水ポンプ、水位センサ（以上図示せず）など給水に関連する部品を設けてある。上面カバー１ｅには、水道栓からの給水ホース接続口１６ａ、風呂の残り湯の吸水ホース接続口１７ａが設けてある。洗剤容器１９は、外槽２に接続されており、給水電磁弁を開く、あるいは風呂水給水ポンプを運転することで、外槽２に洗濯水を供給する。
【００３２】
参照番号２９は筐体１の背面内側に縦方向に設置した送風通路で、送風通路の下部は外槽２の背面下方に設けた吸気口２ａにゴム製の蛇腹管２９ａで接続される。送風通路２９内には、水冷除湿機構（図示せず）を内蔵しており、冷却水ホースで給水電磁弁と水冷除湿機構を接続し、給水電磁弁を開くことで水冷除湿機構へ冷却水を供給する。
【００３３】
冷却水は送風通路２９の壁面を伝わって流下し吸気口２ａから外槽２に入り排水口２ｂから排出される。また、水冷除湿とは別に送風通路内を洗浄するための洗浄ホースで給水電磁弁と送風通路を接続し、給水電磁弁を開くことで送風通路内に洗浄水を供給する。洗浄水は送風通路の壁面を伝わって壁面に付着した埃を流し落とす。
【００３４】
送風通路２９の上部は、筐体１内の上部右側に前後方向に設置したフィルタダクト２７に接続している。送風通路２９上部のフィルタダクト２７との接続部に風路切換弁を有する。フィルタダクト２７の前面には開口部を有しており、この開口部に引き出し式の乾燥フィルタ８を挿入してある。
【００３５】
送風通路２９からフィルタダクト２７へ入った空気は、乾燥フィルタ８のメッシュフィルタ８ａに流入し糸くずが除去される。乾燥フィルタ８の掃除は、乾燥フィルタ８を引き出してメッシュ式のフィルタ８ａを取り出して行う。また、フィルタダクト２７の乾燥フィルタ８挿入部の下面には開口部が設けてあり、この開口部は吸気ダクトが接続しており、吸気ダクトの他端は送風ユニット２８の吸気口と接続している。
【００３６】
送風ユニット２８は、駆動用のモータ２８ａ、ファン羽根車（図示せず）、ファンケース２８ｂで構成されている。ファンケース２８ｂにはヒータが内蔵されており、ファン羽根車から送られる空気を加熱する。
【００３７】
ヒータは、入力切り換えが可能で、本実施例のヒータでは強モードと弱モードを有している。送風ユニット２８の吐出口は温風ダクト３０に接続する。温風ダクト３０は、ゴム製の蛇腹管３０ａ、蛇腹管継ぎ手３０ｂを介して外槽カバー２ｄに設けた前部吹出し口３２に接続している。
【００３８】
本実施例では、送風ユニット２８が筐体１内の上部右側に設けてあるので、前部吹出し口３２は外槽カバー２ｄの右斜め上の位置に設け、前部吹出し口３２までの距離を極力短くするようにし、圧力損失や熱の逃げを最小限にしてある。
【００３９】
排水口２ｂ、送風ユニット２８の吸気口及び吐出口には温度センサ（図示せず）が設けてある。
【００４０】
以上が洗濯乾燥機のおおよその構成であり、乾燥用の循環空気の流れは太い矢印の流線で示しているが、本発明はその循環空気が流れる送風通路２９に関するものであるので、洗濯乾燥機の動作については説明を省略する。
【００４１】
次に本発明になる送風通路２９の洗浄機構について図面に基づいて説明すると、図４と図５は洗浄機構が設けられた送風通路２９の一部構成する縦方向送風通路４０の断面を示している。
【００４２】
図４と図５は風路切換弁が風路を切り換えた状態を示しており、図４は風路切換弁４３が筐体１の内部との連通を遮断して送風通路２９が空気を循環している状態を示しており、図５は風路切換弁４３が送風通路を遮断して筐体１内部の空気を吸い込む状態を示している。
【００４３】
図４及び図５において、参照番号４０は外槽２と背面カバー１ｄの間の空間に設置された断面が長方形の筒状の縦方向送風通路であり、これは固定ねじボス４１によって背面カバー１ｄに固定されている。
【００４４】
この縦方向送風通路４０の下方は上述したように外槽２の下方内部に接続され、縦方向送風通路４０の上方は上面カバー１ｅと外槽２の間の空間に位置する横方向送風通路（図示せず）に接続されている。
【００４５】
この横方向送風通路との接続部４２は横通路４２Ａと斜め通路４２Ｂとよりなり、横通路４２Ａが横方向送風通路と接続される。斜め通路４２Ｂには風路切換弁４３が設けられ斜め通路４２Ｂの内部に形成した弁座４４及び斜め通路４２Ｂを形成する壁部に開口した空気取入口４５が設けられている。
【００４６】
そして、風路切換弁４３が空気取入口４５を閉じているときは横通路４２Ａと斜め通路４２Ｂが接続され、風路切換弁４３が空気取入口４５を開いて弁座４４を閉じているとき横通路４２Ａと斜め通路４２Ｂが遮断されるものである。
【００４７】
斜め通路の４２Ｂは縦方向送風通路４０の縦通路４０Ａに連続して形成されており、縦通路４０Ａと斜め通路４２Ｂの接続部より下側（空気の流れから見て上流側）に洗浄用ノズル４６と、更にこの下側に冷却用ノズル４７が固定されている。
【００４８】
冷却用ノズル４７の下側には蛇行するリブ４８が形成され、冷却用ノズル４７及び洗浄用ノズル４６から供給された水道水が蛇行して流れるようにして循環空気との熱交換効率を向上するようにしている。これらの洗浄用、冷却用の水道水は縦通路４０Ａを落下した後に外槽２内に流れ込み、その後排水されるものである。
【００４９】
ここで、図においては紙面に対して垂直方向に洗浄用ノズル４６及び冷却用ノズル４７が配置されており、冷却用ノズル４７は下方向に水道水を流し、洗浄用ノズル４６は下方向及び横方向の両側に水道水を流すようになっている。
【００５０】
洗浄用ノズル４６は縦通路４０Ａの一方側に寄せて配置されているので、一方の面は縦通路４０Ａの一方の壁面に接触しないで第１の所定の距離をおいて対向し、他方の面は縦通路４０Ａの他方の壁面に第１の所定の距離より長い第２の所定の距離をおいて対向してり、横方向に向けて水道水を流すようにしている。また、冷却用ノズル４７と同様に洗浄用ノズル４６は縦通路４０Ａの下方向に向けて水道水を流すようにしている。
【００５１】
更に、洗浄用ノズル４６は斜め通路４２Ｂに向けて水道水を供給するように構成されており、これによって斜め通路４２Ｂに付着した埃を洗浄するような構成となっている。
【００５２】
以下に洗浄用ノズル４６の構成を詳細に説明すると、図６及び図７は本発明になる洗浄用ノズル４６の正面図と外観斜視図であり、洗浄用ノズル４６は図示しない給水電磁弁に接続される水道水供給部４９と、この水道水供給部４９と直角に交わるＬ字状の洗浄水供給部５０とより構成されている。
【００５３】
この洗浄水供給部５０は内部に水道水供給部４９と連通した洗浄水通路（図示せず）が形成されており、洗浄用ノズル４６は洗浄水通路と連通する一列に並べられた複数個の横方向洗浄口５１、これも一列に並べられた複数個の下方向洗浄口５２（図６、及び図７では表示せず）、及びこれも一列に並べられた複数個の上方向洗浄口５３を備えている。
【００５４】
各洗浄口５１乃至洗浄口５３は三方向に向けてその方向が定められており、横方向洗浄口５１は上述したような構成を有しているので縦通路４０Ａの壁面に対して直交するように横方向に洗浄水を供給し（供給状態は縦通路の壁面に衝突するように速度を持って噴出する状態）し、下方向洗浄口５２は横方向洗浄口５１と同様の供給状態で縦通路４０Ａの壁面に対して平行に下方向に洗浄水を供給し、上方向洗浄口５３は横方向洗浄口５１と同様の供給状態で斜め通路４２Ｂに付着した埃を洗浄するように、取り付けた状態で斜め通路４２Ｂに指向して洗浄水を供給するようになっている。
【００５５】
各洗浄口の数や配置位置は送風通路の大きさによって異なり、送風通路の幅の長さによって最適な数と位置が決められる。
【００５６】
図８、図９、及び図１０は洗浄用ノズル４６の横方向洗浄口５１、下方向洗浄口５２、上方向洗浄口５３が設けられている部分の断面図であり、洗浄水通路５４に対してそれぞれ横方向洗浄口５１、下方向洗浄口５２、上方向洗浄口５３が連通されている。
【００５７】
ここで、洗浄水通路５４は縦方向に長い通路断面を有しており、横方向洗浄口５１、下方向洗浄口５２、上方向洗浄口５３の夫々が連通できるようになっている。
【００５８】
図８において、横方向洗浄口は上述したように縦通路４０Ａの対向壁面に洗浄水を供給するため対向する壁面に向かうような２方向の洗浄口のうちの一方の横方向洗浄口５１Ａを示している。この横方向洗浄口５１Ａは洗浄水通路５４の下方部分に連通され、これは上述したように第２の所定距離にある壁面方向に向けて洗浄水を噴出するものである。この横方向洗浄口５１は第２の所定距離にある壁面及びこれに隣接する２つの壁面にも洗浄水を供給するように多くの量が噴出されるようになっている。
【００５９】
また、図９において、上方向洗浄口５３は洗浄水通路５４の最上方部分に連通され、これは上述したように斜め通路４２Ｂに向けて洗浄水を噴出するものである。
【００６０】
更に、図１０において、洗浄水通路５４の下方部分には図８に示した横方向洗浄口５１Ａとは別に設けられた横方向洗浄口５１Ｂが連通され、これは上述したように第１の所定距離がある壁面方向に向けて洗浄水を噴出するものである。
【００６１】
ここで、横方向洗浄口５１Ｂの方が横方向洗浄口５１Ａに比べて洗浄水の供給量が少なくなるようにその口径が大きく構成されている。この理由は冷却用ノズル４７の方も第１の所定距離がある壁面方向に向けて水道水を流しているので、それほど多くの洗浄水を必要としないからである。
【００６２】
また、洗浄水通路５４の最下方部分には下方向通路５２が連通しており、これは第１の所定距離がある壁面方向に向けて水道水を流しており、その供給量も上述したように冷却用ノズル４７の分もあるのでそれほど多くの洗浄水を必要としないものである。
【００６３】
ここで洗浄用ノズル４６の横方向洗浄口５１、下方向洗浄口５２、上方向洗浄口５３の夫々の洗浄水の供給量は、横方向洗浄口５１＞下方向洗浄口５２＞上方向洗浄口５３の関係を有している。
【００６４】
この理由は、横方向洗浄口５１は縦通路４０Ａの３つの壁面を洗浄する必要から多くの洗浄水を必要とすること、下方向洗浄口５２は冷却用ノズル４７があること及び縦通路４０Ａの残りの１つの壁面に洗浄水を供給すれば良いこと、上方向洗浄口５３は実質的に斜め通路４２Ｂの温風の衝突部分に噴出すれば良いこと、洗浄水の衝突速度を大きくしたいことから上記のような関係を採用した。尚、下方向洗浄口５２と上方向洗浄口５３の関係は冷却用ノズル４７の関係から逆になって良いものである。
【００６５】
図４及び図５に戻って、洗浄用ノズル４７は縦通路４０Ａと斜め通路４２Ｂとの接続部付近で背面カバー側の壁面に寄せて取り付けられるので、上方向洗浄口５３は縦通路４０Ａに沿って開口すると斜め通路４２Ｂの始点付近に洗浄水を供給することになり、充分な洗浄効果を得ることができない懸念がある。
【００６６】
このため、上方向洗浄口５３は斜め通路４２Ｂの中央付近に向けて洗浄水を供給できるように角度を持たせて斜め通路４２Ｂの中央付近指向させている。好ましくは縦通路４０Ａと横通路４２Ａの中心線が交わる付近の斜め通路４２Ｂの壁面に上方向洗浄口５３を指向させている。
【００６７】
ここで、縦方向送風通路４０は断面が長方形の筒状であるため、斜め通路４２Ｂｎｏ壁面も長方形を形成する平面上となっているので、この平面に当たるように複数の洗浄水が供給される。尚、スリット形状の洗浄口であればこれに沿った形状の洗浄水が供給される。
【００６８】
以上に説明した横方向洗浄口５１、下方向洗浄口５２、上方向洗浄口５３の形状は円形状の水流を作るように円形であったが、本発明はこれに限らず上述したようにスリット状の形状であっても良いことはいうまでもない。
【００６９】
尚、風路切換弁４３が空気取入口４５を遮断して横通路４２Ａと斜め通路４２Ｂとを接続している循環乾燥運転中に洗浄用ノズル４７の上方向洗浄口５３から上方向に洗浄水を噴出した場合、斜め通路４２Ｂの壁面に当たった洗浄水が跳ね返り、横通路４２Ａより先にある乾燥フィルタまで飛沫が飛んでしまう恐れがある。
【００７０】
そのため洗浄用ノズル４７の上方向洗浄口５３から洗浄水を噴出する場合は、風路切換弁４３が斜め通路４２Ｂの弁座４４を閉じて横通路４２Ａと斜め通路４２Ｂとの接続を遮断した状態にして乾燥フィルタまでに飛沫が飛散しないようにする。
【００７１】
ここで、風路切換弁４３で遮断した洗浄水は風路切換弁４３から下に垂れていき、横方向洗浄栗５１から噴出した洗浄水と共に縦通路４０Ａの壁面（外槽２側に位置するの壁面）に流れていくようになる。
【００７２】
尚、冷却用ノズル４７と洗浄用ノズル４６とは別々に設けられているが、場合によっては洗浄用ノズル４６によって冷却用ノズル４７を兼用することが可能である。
【００７３】
この場合は、下方向洗浄口５２及び横方向洗浄口５１Ｂから供給される洗浄水の供給量を冷却用ノズル４７の分をまかなえるような供給量が得られるように設計すればよい。
【００７４】
また、手入れ道具を使用した場合であても、従来では風路切換弁４３を越えてまでは掃除することが不可能であったのに対して、本実施例では風路切換弁４３付近まで洗浄ノズル４７を利用して掃除することができるので、より高品位な洗濯乾燥機を提供できるものである。
【００７５】
以上に述べたように、本発明においては送風通路路内に堆積する埃を洗浄することができる洗濯乾燥機を提供することができ、特に洗浄ノズルより上の送風通路の壁面に付着した埃を洗浄することができる洗濯乾燥機を提供することができる。
【符号の説明】
【００７６】
１…筐体、２…外槽、３…洗濯兼脱水槽（回転ドラム）、４…モータ、６…操作パネル、８…乾燥フィルタ、９…ドア、２６…排水ホース、２５…排水弁、２８…送風ユニット、２９…送風通路、４０…縦方向送風通路、４２…接続部、４２Ａ…横通路、４２Ｂ…斜め通路、４３…風路切換弁、４４…弁座、４５…空気取入口、４６…洗浄用ノズル、４７…冷却用ノズル、４８…リブ、４９…水道水供給部、５０…洗浄水供給部、５１…横方向洗浄口、５２…下方向洗浄口、５３…上方向洗浄口。
【図１】
0005674612.tif 000002
【図２】
0005674612.tif 000003
【図３】
0005674612.tif 000004
【図４】
0005674612.tif 000005
【図５】
0005674612.tif 000006
【図６】
0005674612.tif 000007
【図７】
0005674612.tif 000008
【図８】
0005674612.tif 000009
【図９】
0005674612.tif 000010
【図１０】
0005674612.tif 000011